(57)【要約】【課題】肌面の複雑な凹凸に刃面を円滑に追随でき、しかもかみそりヘッドを確りと支えてひげ切断面の不必要な傾動や旋回を規制してひげ切断を効果的に行えるようにする。【解決手段】かみそりヘッド２を全方位方向へ傾動可能に浮動支持する。そのためのヘッド支持構造は、本体ケース１に固定されるフレーム２１と、フレーム２１で揺動可能に支持されるヘッド枠２２と、ヘッド枠２２に固定されるばね受枠２５と、フレーム２１とヘッド枠２２を連結する第１傾動軸２３と、ヘッド枠２２とかみそりヘッド２との間に設けられる第２傾動軸２４と、ヘッド枠２２およびかみそりヘッド２を中立位置へ復帰付勢する第１ばね２６および第２ばね２７とを含む。第１傾動軸２３と第２傾動軸２４は直交配置する。ヘッド枠２２を第１ばね２６で中立位置へ復帰付勢し、かみそりヘッド２を第２ばね２７で中立位置へ復帰付勢する。【選択図】図１
2008289665.tif 000002
【特許請求の範囲】
【請求項１】
内刃（４）および外刃（３）を備えたかみそりヘッド（２）が、グリップを兼ねる本体ケース（１）に対して前後、左右方向へ傾動可能にヘッド支持構造で支持されており、
ヘッド支持構造は、本体ケース（１）に固定されるフレーム（２１）と、フレーム（２１）で相対揺動可能に支持されるヘッド枠（２２）と、フレーム（２１）とヘッド枠（２２）との間に設けられる第１傾動軸（２３）と、ヘッド枠（２２）とかみそりヘッド（２）との間に設けられる第２傾動軸（２４）と、ヘッド枠（２２）およびかみそりヘッド（２）を中立位置へ復帰付勢する第１ばね（２６）および第２ばね（２７）とを含み、
第１傾動軸（２３）と第２傾動軸（２４）とは、それぞれの軸中心線が互いに直交する状態で配置されており、
第１傾動軸（２３）の回りに傾動するヘッド枠（２２）が第１ばね（２６）で中立位置へ復帰付勢され、第２傾動軸（２４）の回りに傾動するかみそりヘッド（２）が第２ばね（２７）で中立位置へ復帰付勢してある電気かみそり。
【請求項２】
フレーム（２１）が、対向配置される一対の支持アーム（３０）を備えており、
支持アーム（３０）は、第１傾動軸（２３）を介してヘッド枠（２２）と連結される上方の連結部（３３）と、本体ケース（１）に装着固定される下方の装着部（３１）とを備えており、
両支持アーム（３０）における装着部側の対向間隔（Ｌ２）が、本体ケース（１）の握り太さに対応して連結部（３３）の対向間隔（Ｌ１）より充分に小さく設定してある請求項１記載の電気かみそり。
【請求項３】
両支持アーム（３０）の連結部（３３）に連続して、補強壁（３２）が横向きに張り出し形成されており、
かみそりヘッド（２）およびヘッド枠（２２）に作用する外力を、第１傾動軸（２３）、連結部（３３）、および補強壁（３２）の三者が共同して負担する請求項１または２記載の電気かみそり。
【請求項４】
両補強壁（３２）と対向するヘッド枠（２２）の下面に補強リブ（４３）が形成されており、
補強リブ（４３）の突端が、第１傾動軸回（２３）の軸中心を円弧中心とする部分円弧面で形成してある請求項３記載の電気かみそり。
【請求項５】
フレーム（２１）が、対向配置される一対の支持アーム（３０）と、両支持アーム（３０）の下端どうしを繋ぐ橋絡部（３４）とを一体に備えている請求項２、３または４記載の電気かみそり。
【請求項６】
かみそりヘッド（２）の中心軸線（Ｐ２）が、本体ケース（１）の中心軸線（Ｐ１）に対して一方向へ傾斜させてあり、
支持アーム（３０）の連結部（３３）が、装着部（３１）に対してかみそりヘッド（２）の中心軸線（Ｐ２）と同じ方向へ傾斜させてある請求項５記載の電気かみそり。
【請求項７】
ヘッド枠（２２）の両端に支持アーム（３０）の連結部（３３）と対向する軸受腕（４１）が設けられており、
支持アーム（３０）の連結部（３３）とヘッド枠（２２）の軸受腕（４１）とが第１傾動軸（２３）で相対揺動可能に連結されており、
前記連結部（３３）の上端がヘッド枠（２２）の軸受腕（４１）の上端より上方へ突設されていて、連結部（３３）が第２傾動軸（２４）の回りに傾動するかみそりヘッド（２）の傾動限界を規定する規制体を兼ねている請求項５または６記載の電気かみそり。
【請求項８】
フレーム（２１）とヘッド枠（２２）を連結する第１傾動軸（２３）の軸端が、本体ケース（１）に設けた係合穴（６５）で固定支持してある請求項７記載の電気かみそり。
【請求項９】
両支持アーム（３０）のそれぞれに、第１傾動軸（２３）の中心軸線と交差する向きのばね受枠（２５）が装着されており、
ばね受枠（２５）の両端のばね受部（５５）が本体ケース（１）に対して係合固定してある請求項２から８のいずれかに記載の電気かみそり。
【請求項１０】
ばね受枠（２５）とヘッド枠（２２）との間に、第１傾動軸（２３）の回りに傾動したかみそりヘッド（２）を中立位置へ復帰付勢する第１ばね（２６）が配置してある請求項９記載の電気かみそり。
【請求項１１】
ばね受枠（２５）の両端に、ヘッド枠（２２）を間に挟む状態で一対のばね受部（５５）が対向配置されて、ばね受部（５５）とヘッド枠（２２）との間に圧縮コイル形の第１ばね（２６）が配置されており、
ばね受部（５５）の外面が本体ケース（１）に係合固定してある請求項１０記載の電気かみそり。
【請求項１２】
ヘッド枠（２２）の軸受腕（４１）に連続して、支持アーム（３０）の補強壁（３２）と上下に対向するばね受ブロック（４０）が設けられており、
前記ばね受ブロック（４０）とばね受部（５５）との間に第１ばね２６が配置してある請求項１１に記載の電気かみそり。
【請求項１３】
両支持アーム（３０）の補強壁（３２）に、ばね受枠（２５）が装着固定してある請求項９から１２のいずれかに記載の電気かみそり。
【請求項１４】
かみそりヘッド（２）とヘッド枠（２２）との間に、第２傾動軸（２４）の回りに傾動したかみそりヘッド（２）を中立位置へ復帰付勢する第２ばね（２７）が配置してある請求項１記載の電気かみそり。
【請求項１５】
ヘッド枠（２２）の軸受腕（４１）に連続して、支持アーム（３０）の補強壁（３２）と上下に対向するばね受ブロック（４０）が設けられており、
かみそりヘッド（２）とばね受ブロック（４０）との間に第２ばね（２７）が配置してある請求項１４記載の電気かみそり。
【請求項１６】
かみそりヘッド（２）とヘッド枠（２２）とのいずれか一方に第２傾動軸（２４）が設けられ、他方に第２傾動軸（２４）で傾動可能に支持される傾動枠（４２）が設けられており、
前記傾動枠（４２）に、かみそりヘッド（２）とヘッド枠（２２）との相対上下動作を吸収する浮動穴（４４）が形成してある請求項９から１５記載のいずれかに記載の電気かみそり。
【請求項１７】
内刃（４）の駆動源となるモーター（２０）、およびモーター（２０）を支持するモーターホルダー（１６）がかみそりヘッド（２）と一体化されており、
モーターホルダー（１６）の対向周面に第２傾動軸（２４）が設けられ、ヘッド枠（２２）に傾動枠（４２）と浮動穴（４４）が形成してある請求項１６記載の電気かみそり。
【請求項１８】
本体ケース（１）の内部に内ケース（１０）が収容され、内ケース（１０）の内部にモーター（２０）に駆動電流を供給するための電源部が組み込まれており、
内ケース（１０）にフレーム（２１）の装着部（３１）が装着固定してある請求項２記載の電気かみそり。
【請求項１９】
かみそりヘッド（２）に第２傾動軸（２４）が設けられ、ヘッド枠（２２）に第２傾動軸（２４）で傾動可能に支持される傾動枠（４２）が設けられており、
前記傾動枠（４２）に、かみそりヘッド（２）とヘッド枠（２２）との相対上下動作を吸収する浮動穴（４４）が形成されており、
本体ケース（１）と傾動枠（４２）との間に、第１傾動軸（２３）の回りに傾動したかみそりヘッド（２）を中立位置へ復帰付勢する圧縮コイル形の第１ばね（２６）が配置してある請求項１６記載の電気かみそり。
【請求項２０】
かみそりヘッド（２）の下面中央と本体ケース（１）との間に、第１・第２の両傾動軸（２３・２４）の回りに傾動したかみそりヘッド（２）を中立位置へ復帰付勢する引っ張りコイル形の第１ばね（２６）が配置してある請求項１記載の電気かみそり。
【発明の詳細な説明】
【技術分野】
【０００１】
本発明は、かみそりヘッドが本体ケースに対して少なくとも前後、左右方向へ傾動可能に支持してある電気かみそりに関する。
【背景技術】
【０００２】
本発明に関して、かみそりヘッドを前後軸と左右軸の回りに傾動可能に支持することは、例えば特許文献１に公知である。そこでは本体ケースでリング枠を左右傾動可能に支持し、リング枠でかみそりヘッドを前後傾動可能に支持している。リング枠の前後面には一対の支軸が突設してあり、これらの支軸を本体ケースに設けた軸受凹部で軸支している。また、かみそりヘッドの左右側面には一対の支軸が突設してあり、これらの支軸をリング枠に設けた軸受凹部で軸支している。
【０００３】
本発明の電気かみそりに関して、かみそりヘッドを全方位方向へ傾動および浮動可能に支持し、複数個のばねで中立位置へ復帰付勢することは特許文献２に公知である。そこでは、内フレームの上部に設けたフロート枠でフロート台を前後、左右、上下方向へ傾動および浮動可能に支持し、フロート枠とフロート台との間に配置した左右一対のばねで、フロート台およびかみそりヘッドを中立位置へ復帰付勢している。
【０００４】
【特許文献１】実公昭４９−４５９１０号公報（第１頁右欄１９〜３０行、第２図）
【特許文献２】特開２００５−２１８６０８号公報（段落番号００２７、図１）
【発明の開示】
【発明が解決しようとする課題】
【０００５】
かみそりヘッドを全方位方向へ傾動および浮動可能に支持する電気かみそりにおいては、肌面の複雑な凹凸にひげ切断面を円滑に追随できる半面、ひげ切断面が不必要に傾動してふらつきやすく、ひげ切断を効果的に行いにくい傾向がある。とくに、特許文献１の電気かみそりにおいては、かみそりヘッドの全体を前後軸と左右軸とで歳差運動できるように支持しているだけであるので、かみそりヘッドを中立位置に戻すことができない。また、本体ケースに作用する衝撃や大きな外力が、前後および左右に設けた支軸のひとつに集中して作用することがあり、そうした場合に支軸や、支軸を支える軸受構造が傷付いて耐久性が損なわれることがある。
【０００６】
本発明の目的は、肌面の複雑な凹凸に刃面を円滑に追随できるにもかかわらず、かみそりヘッドを確りと支えてひげ切断面の不必要な傾動や旋回を規制してひげ切断を効果的に行える電気かみそりを提供することにある。本発明の目的は、かみそりヘッドが傾動するときの傾動中心となる傾動軸を確りと支えて、外力や衝撃力を分散し緩和でき、本体ケースに衝撃や大きな外力が作用するような場合に、外部荷重がひとつの傾動軸に集中するのを解消して、傾動軸や軸受構造の傷付きを解消し耐久性を向上できる電気かみそりを提供することにある。
【課題を解決するための手段】
【０００７】
本発明の電気かみそりは、内刃４および外刃３を備えたかみそりヘッド２が、グリップを兼ねる本体ケース１に対して前後、左右方向へ傾動可能にヘッド支持構造で支持してある。ヘッド支持構造は、本体ケース１に固定されるフレーム２１と、フレーム２１で相対揺動可能に支持されるヘッド枠２２と、フレーム２１とヘッド枠２２との間に設けられる第１傾動軸２３と、ヘッド枠２２とかみそりヘッド２との間に設けられる第２傾動軸２４と、ヘッド枠２２およびかみそりヘッド２を中立位置へ復帰付勢する第１ばね２６および第２ばね２７とを含む。第１傾動軸２３と第２傾動軸２４とは、それぞれの軸中心線が互いに直交する状態で配置する。以て、第１傾動軸２３の回りに傾動するヘッド枠２２を第１ばね２６で中立位置へ復帰付勢し、第２傾動軸２４の回りに傾動するかみそりヘッド２を第２ばね２７で中立位置へ復帰付勢してあることを特徴とする。なお、本発明において本体ケース１に固定されるフレーム２１とは、フレーム２１が本体ケース１に直接固定してある場合と、実施例に示すように、フレーム２１が内ケース１０や内フレームなどを介して、間接的に本体ケース１に固定してある場合のいずれをも含むこととする。
【０００８】
フレーム２１は、対向配置される一対の支持アーム３０を備えている。支持アーム３０は、第１傾動軸２３を介してヘッド枠２２と連結される上方の連結部３３と、本体ケース１に装着固定される下方の装着部３１とを備えている。両支持アーム３０における装着部側の対向間隔Ｌ２は、本体ケース１の握り太さに対応して連結部３３の対向間隔Ｌ１より充分に小さく設定する。
【０００９】
両支持アーム３０の連結部３３に連続して、第１傾動軸２３回りのヘッド枠２２の傾動限界を規定するための補強壁３２を横向きに張り出し形成する。以て、かみそりヘッド２およびヘッド枠２２に作用する外力を、第１傾動軸２３、連結部３３、および補強壁３２の三者が共同して負担できるようにする。
【００１０】
両補強壁３２と対向するヘッド枠２２の下面に補強リブ４３を形成する。図６に示すように補強リブ４３の突端は、第１傾動軸回２３の軸中心を円弧中心とする部分円弧面で形成する。
【００１１】
フレーム２１は、対向配置される一対の支持アーム３０と、両支持アーム３０の下端どうしを繋ぐ橋絡部３４とを一体に備えている。
【００１２】
かみそりヘッド２の中心軸線Ｐ２が、本体ケース１の中心軸線Ｐ１に対して一方向へ傾斜させてある電気かみそりにおいて、支持アーム３０の連結部３３を、装着部３１に対してかみそりヘッド２の中心軸線Ｐ２と同じ方向へ傾斜させる。
【００１３】
ヘッド枠２２の両端に支持アーム３０の連結部３３と対向する軸受腕４１を設ける。支持アーム３０の連結部３３とヘッド枠２２の軸受腕４１とを第１傾動軸２３で相対揺動可能に連結する。前記連結部３３の上端をヘッド枠２２の軸受腕４１の上端より上方へ突設する。以て、連結部３３が第２傾動軸２４の回りに傾動するかみそりヘッド２の傾動限界を規定する規制体を兼ねるようにする。
【００１４】
フレーム２１とヘッド枠２２を連結する第１傾動軸２３の軸端を、本体ケース１に設けた係合穴６５で固定支持する。
【００１５】
両支持アーム３０のそれぞれに、第１傾動軸２３の中心軸線と交差する向きのばね受枠２５を装着し、ばね受枠２５の両端のばね受部５５を本体ケース１に対して係合固定する。
【００１６】
ばね受枠２５とヘッド枠２２との間に、第１傾動軸２３の回りに傾動したかみそりヘッド２を中立位置へ復帰付勢する第１ばね２６を配置する。
【００１７】
ばね受枠２５の両端に、ヘッド枠２２を間に挟む状態で一対のばね受部５５を対向配置し、ばね受部５５とヘッド枠２２との間に圧縮コイル形の第１ばね２６を配置し、ばね受部５５の外面を本体ケース１に係合固定する。
【００１８】
ヘッド枠２２の軸受腕４１に連続して、支持アーム３０の補強壁３２と上下に対向するばね受ブロック４０を設ける。前記ばね受ブロック４０とばね受部５５との間に第１ばね２６を配置する。
【００１９】
両支持アーム３０の補強壁３２に、ばね受枠２５を装着固定する。
【００２０】
かみそりヘッド２とヘッド枠２２との間に、第２傾動軸２４の回りに傾動したかみそりヘッド２を中立位置へ復帰付勢する第２ばね２７を配置する。
【００２１】
ヘッド枠２２の軸受腕４１に連続して、支持アーム３０の補強壁３２と上下に対向するばね受ブロック４０を設け、かみそりヘッド２とばね受ブロック４０との間に第２ばね２７を配置する。
【００２２】
かみそりヘッド２とヘッド枠２２とのいずれか一方に第２傾動軸２４を設け、他方に第２傾動軸２４で傾動可能に支持される傾動枠４２を設ける。前記傾動枠４２に、かみそりヘッド２とヘッド枠２２との相対上下動作を吸収する浮動穴４４を形成する。
【００２３】
内刃４の駆動源となるモーター２０、およびモーター２０を支持するモーターホルダー１６はかみそりヘッド２と一体化してある。モーターホルダー１６の対向周面に第２傾動軸２４を設け、ヘッド枠２２に傾動枠４２と浮動穴４４を形成する。
【００２４】
本体ケース１の内部に内ケース１０が収容され、内ケース１０の内部にモーター２０に駆動電流を供給するための電源部を組み込む。内ケース１０にフレーム２１の装着部３１を装着固定する。
【００２５】
かみそりヘッド２に第２傾動軸２４を設け、ヘッド枠２２に第２傾動軸２４で傾動可能に支持される傾動枠４２を設ける。傾動枠４２に、かみそりヘッド２とヘッド枠２２との相対上下動作を吸収する浮動穴４４を形成する。本体ケース１と傾動枠４２との間に、第１傾動軸２３の回りに傾動したかみそりヘッド２を中立位置へ復帰付勢する圧縮コイル形の第１ばね２６を配置する。
【００２６】
かみそりヘッド２の下面中央と本体ケース１との間に、第１・第２の両傾動軸２３・２４の回りに傾動したかみそりヘッド２を中立位置へ復帰付勢する引っ張りコイル形の第１ばね２６を配置する。
【発明の効果】
【００２７】
本発明の電気かみそりにおいては、本体ケース１に固定されるフレーム２１と、フレーム２１で相対揺動可能に支持されるヘッド枠２２と、これら両者２１・２２の間に設けられる第１傾動軸２３および第２傾動軸２４と、ヘッド枠２２およびかみそりヘッド２を中立位置へ復帰付勢する第１ばね２６および第２ばね２７などでヘッド支持構造を構成し、第１傾動軸２３と第２傾動軸２４をそれぞれの軸中心線が互いに直交する状態で配置したうえで、第１傾動軸２３の回りに傾動したヘッド枠２２を第１ばね２６で中立位置へ復帰付勢し、第２傾動軸２４の回りに傾動したかみそりヘッド２を第２ばね２７で中立位置へ復帰付勢できるようにした。
【００２８】
上記のように、フレーム２１とヘッド枠２２を介してかみそりヘッド２を支持する電気かみそりによれば、肌面の複雑な凹凸に刃面を円滑に追随させながらひげ切断を円滑に行えるにもかかわらず、かみそりヘッド２をフレーム２１とヘッド枠２２とで確りと支え、さらにヘッド枠２２およびかみそりヘッド２を第１ばね２６、および第２ばね２７で中立位置へ復帰付勢して、かみそりヘッド２が不必要にぐらつくのを規制できるので、ひげ切断面の不必要な傾動や旋回を規制して、ひげ切断を効果的に行える電気かみそりを提供できる。フレーム２１を設けることにより、本体ケース１に加わる衝撃などをフレーム２１で吸収し分散して、第１傾動軸２３に作用する外力を緩和できる。
【００２９】
対向配置される一対の支持アーム３０でフレーム２１を構成し、両支持アーム３０における装着部側の対向間隔Ｌ２を、本体ケース１の握り太さに対応して連結部３３の対向間隔Ｌ１より充分に小さく設定すると、連結部３３の対向間隔Ｌ１をできるだけ大きくして、前後幅に比べて左右幅が大きなかみそりヘッド２（あるいは左右幅に比べて前後幅が大きなかみそりヘッド２）を、フレーム２１で安定した状態で軸支しながら、グリップを兼ねる本体ケース１の握り太さが太くなるのを避けることができ、したがって電気かみそりの使い勝手を向上できる。
【００３０】
両支持アーム３０の連結部３３に連続して、ヘッド枠２２の傾動限界を規定する補強壁３２を横向きに張り出し形成し、かみそりヘッド２およびヘッド枠２２に作用する外力を、第１傾動軸２３、連結部３３、および補強壁３２の三者が共同して負担するヘッド支持構造によれば、連結部３３に連続して補強壁３２を設けることで、支持アーム３０のヘッド枠２２との連結部分の構造強度を増強して外力に対抗できる。しかも、かみそりヘッド２が傾動するときの傾動中心となる第１傾動軸２３を確りと支えて、第１傾動軸２３に集中しやすい外力を連結部３３および補強壁３２で分散した状態の許に負担できる。したがって、本体ケース１に衝撃や大きな外力が作用するような場合に、外部荷重が第１傾動軸２３に集中するのを解消して、第１傾動軸２３や、その軸受構造の傷付きを解消し耐久性を向上できる。
【００３１】
両補強壁３２と対向するヘッド枠２２の下面に補強リブ４３を設け、その突端が第１傾動軸回５１の軸中心を円弧中心とする部分円弧面で形成してあると、補強リブ４３によってヘッド枠２２の構造強度を増強し、ヘッド枠２２に作用する衝撃を緩和吸収できる。ヘッド枠２２が第１傾動軸２３の回りに前後傾動するときに、補強リブ４３が補強壁３２に接当するのを防止して、前後傾動動作を円滑に行うことができる。
【００３２】
対向配置される一対の支持アーム３０と、両支持アーム３０の下端どうしを繋ぐ橋絡部３４とでフレーム２１を構成すると、例えば、一対の支持アーム３０が独立部品として形成してある場合に比べて、フレーム２１の構造強度を向上して、その分だけヘッド支持構造を堅牢化できる。また、フレーム２１を本体ケース１に固定した状態において、両支持アーム３０の連結部３３で支持される一対の第１傾動軸２３の中心位置がずれるのをよく防止でき、したがってヘッド枠２２およびかみそりヘッド２の第１傾動軸２３回りの傾動動作を常に円滑に行える。本体ケース１に作用する衝撃などの外力をフレーム２１で吸収し、分散して、前記外力が第１傾動軸２３に集中するのを防止できる。
【００３３】
かみそりヘッド２の中心軸線Ｐ２が、本体ケース１の中心軸線Ｐ１に対して一方向へ傾斜させてある電気かみそりにおいて、支持アーム３０の連結部３３を装着部３１に対してかみそりヘッド２の中心軸線Ｐ２と同じ方向へ傾斜させると、かみそりヘッド２と支持アーム３０の連結部３３とを同じ方向へ同じ角度だけ傾斜させて、第１傾動軸２３をかみそりヘッド２の中心軸線Ｐ２を通る平面上、または前記平面の近傍に位置させることができるので、かみそりヘッド２をその中立位置から前後、左右方向へそれぞれ均等に傾動させて、肌面の凹凸に対する追随性を好適化できる。
【００３４】
ヘッド枠２２の両端に設けた軸受腕４１と、支持アーム３０の連結部３３とを第１傾動軸２３で相対揺動可能に連結し、連結部３３の上端をヘッド枠２２の軸受腕４１の上端より上方へ突設すると、かみそりヘッド２の全体が下降変位した状態において左右傾動するとき、連結部３３がヘッドフレーム１５の下面を他の部材に先行して受け止めることができる。つまり、連結部３３は第２傾動軸２４の回りに傾動するかみそりヘッド２の傾動限界を規定する規制体を兼ねて、かみそりヘッド２の傾動限界を規定できる。
【００３５】
フレーム２１とヘッド枠２２を連結する第１傾動軸２３の軸端を、本体ケース１に設けた係合穴６５で固定支持すると、フレーム２１の下部の装着部３１を本体ケース１に固定することに加えて、フレーム２１の上部の連結部３３を第１傾動軸２３を介して本体ケース１に固定できるので、フレーム２１を本体ケース１に対してさらに強固に固定でき、しかも一対の第１傾動軸２３を本体ケース１で位置決め固定して、第１傾動軸２３の中心位置のずれを解消できる。
【００３６】
両支持アーム３０のそれぞれに、第１傾動軸２３の中心軸線と交差する向きのばね受枠２５を装着し、ばね受枠２５の両端のばね受部５５を本体ケース１に対して係合固定するヘッド支持構造によれば、一対の支持アーム３０をばね受枠２５を介して本体ケース１に固定できるので、フレーム２１を本体ケース１に対してさらに強固に固定して、第１傾動軸２３をさらに正確に位置決めでき、加えてヘッド支持構造の全体を堅牢化できる。
【００３７】
ばね受枠２５とヘッド枠２２との間に第１ばね２６を配置し、第１傾動軸２３の回りに傾動したかみそりヘッド２を第１ばね２６で中立位置へ復帰付勢すると、かみそりヘッド２およびヘッド支持構造を本体ケース１に組み付ける前に、第１ばね２６をばね受枠２５とヘッド枠２２との間に先組みして、第１ばね２６による中立位置への復帰動作を確認できるので、第１ばね２６の組み付けをより簡便に行えるうえ、第１ばね２６を含むヘッド支持構造の組み付けの手間を大幅に軽減できる。動作不良を早期に発見できる利点もある。
【００３８】
ばね受枠２５の両端に設けたばね受部５５とヘッド枠２２との間に圧縮コイル形の第１ばね２６を配置し、ばね受部５５の外面を本体ケース１に係合固定するヘッド支持構造によれば、第１ばね２６のばね力をばね受部５５と本体ケース１とで受け止めて、ばね受部５５を確実に固定保持でき、したがってヘッド枠２２、およびかみそりヘッド２を常に適正に中立位置に位置保持できる。
【００３９】
ヘッド枠２２の軸受腕４１に連続して支持アーム３０の補強壁３２と上下に対向するばね受ブロック４０を設け、このばね受ブロック４０とばね受部５５との間に第１ばね２６を配置すると、軸受腕４１とばね受ブロック４０をＬ字状に連続させてばね受部分の強度を向上し、第１ばね２６を安定した状態で受け止め支持できる。したがって、第１ばね２６によるヘッド枠２２、およびかみそりヘッド２の中立位置への復帰動作をさらに確実なものとして、かみそりヘッド２が不必要にぐらつくのを規制して確りと保持できる。
【００４０】
両支持アーム３０の補強壁３２にばね受枠２５を装着固定すると、支持アーム３０の縦壁３０ａと補強壁３２との内隅空間を利用してばね受枠２５を支持アーム３０と一体化できるので、本体ケース１内における空間利用に無駄がないうえ、ばね受枠２５を安定した状態でしかも強固に支持アーム３０に連結できる。ヘッド枠２２に設けられるばねブロック４０の近傍の補強壁３２にばね受枠２５を固定するので、第１ばね２６を適正に組むことができる。
【００４１】
かみそりヘッド２とヘッド枠２２との間に第２ばね２７を配置し、第２傾動軸２４の回りに傾動したかみそりヘッド２を第２ばね２７で中立位置へ復帰付勢すると、かみそりヘッド２およびヘッド支持構造を本体ケース１に組み付ける前に、第２ばね２７をかみそりヘッド２とヘッド枠２２との間に先組みして、第２ばね２７による中立位置への復帰動作を確認できるので、第２ばね２７の組み付けをより簡便に行えるうえ、第２ばね２７を含むヘッド支持構造の組み付けの手間を大幅に軽減できる。動作不良も早期に発見できる。第１ばね２６と第２ばね２７をそれぞれ独立して設けることになるので、他のばねのばね力の影響を考慮する必要もなく両ばね２６・２７の張力設定を簡便に行うことができ、その分だけ両ばね２６・２７の張力を容易にしかも確実に設定できる。
【００４２】
ヘッド枠２２の軸受腕４１に連続して、支持アーム３０の補強壁３２と上下に対向するばね受ブロック４０を設け、かみそりヘッド２とばね受ブロック４０との間に第２ばね２７を配置すると、ばね受ブロック４０の前後面と上面のそれぞれに第１ばね２６と第２ばね２７を集約配置できるので、かみそりヘッド２とヘッド支持構造を本体ケース１に組み付ける際に、全てのばねが正しく組み付けられていることを確認して、勘違いを生じる余地のない状態で適正に組み立てを行える。
【００４３】
かみそりヘッド２とヘッド枠２２とのいずれか一方に第２傾動軸２４を設け、他方に第２傾動軸２４で傾動可能に支持される傾動枠４２を設けたうえで、傾動枠４２にかみそりヘッド２とヘッド枠２２との相対上下動作を吸収する浮動穴４４を形成すると、肌面に対する押し付け力をかみそりヘッド２が昇降変位することで緩和吸収できるので、ひげ切断時に肌面に作用する圧力を和らげて、ひげ切断後にひりつき感が残るのを解消できる。
【００４４】
モーター２０、およびモーターホルダー１６をかみそりヘッド２と一体化し、モーターホルダー１６の対向周面に第２傾動軸２４を設け、ヘッド枠２２に傾動枠４２と浮動穴４４を形成するヘッド支持構造によれば、かみそりヘッド２がヘッド枠２２に対して昇降変位するとき、モーターホルダー１６の平坦な対向周面を傾動枠４２でスライド案内して、かみそりヘッド２が不必要にぐらつくのを規制できる。したがって、ひげ切断時にかみそりヘッド２が不必要にぐらつくのを規制し、ひげ切断面の不必要な傾動や旋回を規制して、ひげ切断をさらに効果的に行える。
【００４５】
本体ケース１の内部に電源部を含む内ケース１０を収容し、内ケース１０にフレーム２１の装着部３１を装着固定すると、かみそりヘッド２、ヘッド支持構造、および内ケース１０の三者を組み立てた後に、これらを本体ケース１に組むことができる。したがって、先の三者を組み立てた時点で、ヘッド支持構造の機械的な動作確認と、モーター２０および２次電池１２などの電気的な動作確認を事前に行って、動作不良を早期に発見できる。
【００４６】
かみそりヘッド２に第２傾動軸２４を設け、ヘッド枠２２に第２傾動軸２４で傾動可能に支持される傾動枠４２を設け、本体ケース１と傾動枠４２との間に、第１傾動軸２３の回りに傾動したかみそりヘッド２を中立位置へ復帰付勢する圧縮コイル形の第１ばね２６を配置すると、第１ばね２６で傾動枠４２を押圧保持して、傾動枠４２が第２傾動軸２４から浮き離れるのを規制でき、したがって、第２傾動軸２４が傾動枠４２に設けた浮動穴４４から抜け出るのを確実に防止できる。
【００４７】
かみそりヘッド２の下面中央と本体ケース１との間に引っ張りコイル形の第１ばね２６を配置し、両傾動軸２３・２４の回りに傾動したかみそりヘッド２を第１ばね２６で中立位置へ復帰付勢することができる。この付勢構造によれば、１個の第１ばね２６のみで前後、左右に傾動したかみそりヘッド２を中立位置へ復帰操作できるので、ばねによる復帰構造を簡素化できる。
【発明を実施するための最良の形態】
【００４８】
（実施例）  図１ないし図１０は本発明を適用したロータリー式の電気かみそりの実施例を示す。図２および図３において電気かみそりは、グリップを兼ねる本体ケース１と、その上部に設けられるかみそりヘッド２と、本体ケース１の内部に収容される電装品ユニット３などで構成してある。本体ケース１の前面には、モーター起動用のスイッチボタン４や、モーターの運転状態を切り替えるセレクトボタン５と、ＬＥＤ表示部６とが設けてある。本体ケース１の後面には、きわぞり刃７と、きわぞり刃７を使用姿勢へ押し上げ操作するスライドノブ８が設けてある。図３に示すように、かみそりヘッド２の中心軸線Ｐ２は、本体ケース１の中心軸線Ｐ１に対してケース前面側へ傾斜させてある。中心軸線Ｐ２の傾斜角度は３０度である。
【００４９】
図３において電装品ユニット３は、内ケース１０と、その内部に配置される回路基板１１および２次電池１２などの電源部と、回路基板に実装されて先のボタン４・５で切り換え操作されるスイッチ４ａ・５ａと、複数個の表示用ＬＥＤなどで構成してある。図４に示すように、本体ケース１は、前後に分割形成される前ケース１ａおよび後ケース１ｂと、これら前後ケース１ａ・１ｂの接合縁の外面を覆う側部カバー１ｃと、内ケース１１に締結固定される底カバー１ｄとで構成してある。図２〜図４に示すように、前ケース１ａの上部にはＶ字状のパネル７６が装着固定してある。このパネル７６は、ＡＢＳ樹脂の外面にエラストマー樹脂を重ねた２色成形品からなり、パネル７６の両側端から中央へ向かって膨出させてある。この膨出部を符号７７で示す。表面のエラストマー樹脂は滑り止めのために設けられており、先の膨出部７７に親指と人差し指との付け根部分をあてがい、あるいはケース後面のスライドノブ８の下部に設けられる指当部７８と膨出部７７とを握り締めることにより、本体ケース１を確りと保持してひげ切断を行える。さらに、膨出部７７に親指をあてがった状態で本体ケース１を握り保持することにより、本体ケース１の向きを肌面の変化に応じて容易に変更できる。左右の側部カバー１ｃも、上記パネル７８と同様にＡＢＳ樹脂の外面にエラストマー樹脂を重ねた２色成形品からなり、表面のエラストマー樹脂によって滑り止め機能を発揮できる。
【００５０】
図３、図４および図１０に示すように、内ケース１０は、前内ケース１０ａと後内ケース１０ｂとに分割して形成してあり、蓋合わせ状に接合した両内ケース１０ａ・１０ｂを上下一対のクリップ７１で固定している。そのために、前内ケース１０ａの左右側面の上下に係合爪７２を突設し、コ字状に折り曲げたクリップ７１の左右腕７３に、先の係合爪７２に係合する係止穴７４を設けている。自由状態におけるクリップ７１の左右腕７３の対向間隔は、内ケース１０の左右幅寸法より小さく設定してあり、したがって、クリップ７１を内ケース１０に外嵌装着した状態では、左右腕７３は、自己の弾性で内ケース１０の表面に密着している。内ケース１０の上端面には、後述する装着部３１を係合装着するための係合枠１３が形成され、前内ケース１０ａの上面左右にブラケット１４が形成してある。両内ケース１０ａ・１０ｂの接合面はシールリングでシールしてある。上記のように、前後内ケース１０ａ・１０ｂをクリップ７１で分離不能に抱持固定する締結構造によれば、内ケース１０の外形をコンパクト化して、その分だけ本体ケース１を小形化しケース太さを小さくでき、握りやすくなる。
【００５１】
図５においてかみそりヘッド２は、ヘッドフレーム１５と、ヘッドフレーム１５の下面に締結固定されるモーターホルダー１６と、ヘッドフレーム１５に対して着脱できる外刃ホルダー１７などを外殻体にして、ヘッドフレーム１５の上面上方に前後一対のメイン刃１８とセンター刃１９を配置し、これら両者の内刃をモーターホルダー１６に収容したモーター２０の動力で駆動できるようにしてある。縦置き配置したモーター２０の回転動力は、ヘッドフレーム１５に設けたギヤ伝動機構２８を介してメイン刃１８の内刃１８ａに伝動され、同時に図示していない振動子で往復動力に変換してセンター刃１９の内刃と、きわぞり刃８の可動刃に伝動される。メイン刃１８の外刃１８ｂは外刃ホルダー１７に組み付けてある。
【００５２】
上記のかみそりヘッド２を前後、左右、上下、斜めの全方位方向へ傾動可能に浮動支持するために、かみそりヘッド２と本体ケース１との間にヘッド支持構造を設けている。ヘッド支持構造は、本体ケース１に固定されるフレーム２１と、フレーム２１で相対揺動可能に支持されるヘッド枠２２と、フレーム２１とヘッド枠２２との間に設けられる第１傾動軸２３と、ヘッド枠２２とかみそりヘッド２との間に設けられる第２傾動軸２４と、フレーム２１に装着される左右一対のばね受枠２５と、ヘッド枠２２およびかみそりヘッド２を中立位置へ復帰付勢する第１ばね２６および第２ばね２７で構成する。
【００５３】
フレーム２１は、モーターホルダー１６を間に挟んで対向配置される左右一対の支持アーム３０と、支持アーム３０の下端どうしを繋ぐ橋絡部３４とを一体に備えたステンレス板材製のプレス金具で構成してある。支持アーム３０は、橋絡部３４の左右側縁に連続して上向きに折り曲げられる縦壁３０ａと、縦壁の上部に連続して外側方へ折り曲げられる補強壁３２と、補強壁３２に連続して上向きに折り曲げられる連結部３３とを備えている。図６に示すように、側面から見た縦壁３０ａは、上向き、斜め後向き、上向き、斜め前向きの順に屈折する状態で打ち抜き形成されており、これにより連結部３３をかみそりヘッド２の中心軸線Ｐ２と同じ方向へ同じ角度で傾斜させている。補強壁３２と連結部３３の壁面とは互いに直交する関係にある。支持アーム３０を本体ケース１に固定するために、支持アーム３０の下部に装着部３１を設ける。
【００５４】
図５に示すように、左右一対の支持アーム３０における橋絡部３４側の対向間隔Ｌ２は、連結部３３の対向間隔Ｌ１に比べて充分に小さく設定してある。これは、橋絡部３４側の対向間隔Ｌ２をできるだけ小さくして、グリップを兼ねる本体ケース１の握り太さが太くなるのを避けることと、連結部３３の対向間隔Ｌ１をできるだけ大きくして、前後幅に比べて左右幅が大きなかみそりヘッド２を安定した状態で軸支するためである。
【００５５】
橋絡部３４は平板状に形成してあり、その前後縁に四角形状の連結片３５が張り出し形成してある。これらの連結片３５を内ケース１０の係合枠１３に差し込み係合し、さらに左右縦壁３０ａの下部を、先のブラケット１４と共にビス３６で前ケース１ａに締結することにより、フレーム２１が本体ケース１と一体化してある。このように、左右縦壁３０ａの下部と、ブラケット１４とをビス３６で共締め固定すると、フレーム２１と内ケース１０とを、より簡単な構造で本体ケース１に固定できる。このフレーム固定構造から理解できるように、本実施例における装着部３１は、橋絡部３４と、ビス３６で締結される左右の縦壁３０ａを含む概念である。
【００５６】
ヘッド枠２２は、モーターホルダー１６を周囲を囲むリング状の枠本体３９と、枠本体３９の左右両側から横向きに張り出されるばね受ブロック４０と、ばね受ブロック４０の側端から上向きに突設される軸受腕４１と、枠主体３９の前後面に設けられる傾動枠４２と、ばね受ブロック４０の下面に突設される左右一対の補強リブ４３を一体に備えたプラスチック成形品からなる。枠本体３９は、モーターホルダー１６の断面形状に合致して、前部および後部が平坦な太鼓形状に形成してあり、これらの平坦部分に円形リング状の傾動枠４２が一体に形成してある。傾動枠４２で囲まれる円形の空間は、かみそりヘッド２を上下に昇降変位させ、さらに左右に傾動させるための浮動穴４４として機能する。
【００５７】
補強リブ４３の突端面は、後述する第１傾動軸２３の軸中心を円弧中心とする部分円弧面で形成してある（図６参照）。ばね受ブロック４０の上面には、後述する第２ばね２７用の第２ばね受体４６が突設してあり、ばね受ブロック４０の前後面には、後述する第１ばね  用の第１ばね受体４７が突設してある。第１・第２のばね受体４７・４６は、それぞれピン状の突起からなる。
【００５８】
ヘッド枠２２の軸受腕４１を支持アーム３０の連結部３３の内面に接合して、両者３３・４１を第１傾動軸２３で連結することにより、ヘッド枠２２がフレーム２１で前後傾動可能に支持される。また、モーターホルダー１６の前後面に突設した第２傾動軸２４を傾動枠４２の上部内面、すなわち浮動穴４４の上面で受け止めることにより、かみそりヘッド２の全体が、第２傾動軸２４を傾動支点にして左右傾動でき、さらにかみそりヘッド２の全体が上下に昇降変位できる。なお、かみそりヘッド２の昇降動作は、その中心軸線Ｐ２に沿った斜めの昇降動作となる。
【００５９】
上記のように、かみそりヘッド２が組み付けられたヘッド枠２２を、第１傾動軸２３でフレーム２１に組み付けた状態においては、第１傾動軸２３と第２傾動軸２４とは、それぞれの軸中心線が互いに直交する。したがって、かみそりヘッド２は本体ケース１に対して、前後、左右、上下、斜めの全方位方向へ傾動可能に浮動支持される。また、フレーム２１とヘッド枠２２を組み付けた状態においては、連結部３３の上端がヘッド枠２２の軸受腕４１の上端より上方へ突設している。これにより、かみそりヘッド２の全体が下降変位した状態において左右傾動するとき、連結部３３がヘッドフレーム１５の下面を他の部材に先行して受け止めて、かみそりヘッド２の傾動限界を規定できる。つまり、連結部３３は第２傾動軸２４の回りに傾動するかみそりヘッド２の傾動限界を規定する規制体を兼ねている。このように、連結部３３の上端でヘッドフレーム１５の下面を受け止めるときの衝突音の発生を防ぐために、ヘッドフレーム１５の下面にクッション材を貼付固定することができる。クッション材としては、ゴム、または発泡プラスチック材を適用できる。
【００６０】
ばね受枠２５は、左右の支持アーム３０の補強壁３２に係合装着されるベース部５４と、ベース部５４の前後端から上向きに突設されるばね受腕５５とを一体に設けた、前後に長いプラスチック成形品からなる。ベース部５４の上面の前後中央には一対の係合爪５６が前後に対向する状態で設けてあり、ばね受腕５５の前後対向面には、それぞれ第１ばね２６用の第１ばね受体５７が突設してある。また、各ばね受腕５５の前面および後面には、それぞれ係合ピン５８が突設してある（図６参照）。第１ばね受体５７はピン状の突起からなる。
【００６１】
図１に示すように、断面が横臥Ｌ状のベース部５４を、補強壁３２の下面と縦壁３０ａとの内隅部分にあてがって、前後の係合爪５６を補強壁３２の前後縁に圧嵌係合することにより、ばね受枠２５をフレーム２１と一体化できる。この組み付け状態におけるばね受枠２５は第１傾動軸２３と直交する関係にあり、前後のばね受腕５５に設けた第２ばね受体５７は、ヘッド枠２２のばね受ブロック４０を間に挟んで前後に対向しており、ばね受ブロック４０の前後面に設けた第２ばね受体４７と前後に正対している。
【００６２】
上記のように各方向へ浮動および傾動可能に支持したヘッド枠２２およびかみそりヘッド２を中立位置へ復帰付勢するために、ヘッド枠２２とばね受枠２５との間に圧縮コイル形のばねからなる４個の第１ばね２６を配置し、かみそりヘッド２とヘッド枠２２との間に圧縮コイル形のばねからなる２個の第２ばね２７を配置する。詳しくは、図１に示すように、ヘッド枠２２のばね受ブロック４０の前後に設けた第１ばね受体４７と、ばね受枠２５の前後のばね受腕５５に設けた第１ばね受体５７との間に第１ばね２６を配置し、モーターホルダー１６の上端左右に張り出した座壁６１の下面にピン状の第２ばね受体６２を突設し、この第２ばね受体６２と、ヘッド枠２２のばね受ブロック４０の上面に設けた第２ばね受体４６との間に第２ばね２７を配置している。
【００６３】
先に説明したように、フレーム２１は、その装着部３１を内ケース１０の係合枠１３に係合し、左右縦壁３０ａをブラケット１４と共にビス３６で前ケース１ａに締結することにより本体ケース１と一体化される。この連結構造に加えて、フレーム２１の上部左右、および左右一対のばね受枠２５の前後をそれぞれ本体ケース１に固定することにより、ヘッド支持構造を本体ケース１に対してさらに強固に固定し、堅牢さを向上できるようにしている。
【００６４】
具体的には図１および図５に示すように、第１傾動軸２３の軸端を前ケース１ａおよび後ケース１ｂの接合縁に設けた係合穴６５で支持して、連結部３３、軸受腕４１などの第１傾動軸２３の周辺構造を移動不能に固定保持している。また、各ばね受枠２５の前側のばね受部５５に設けた係合ピン５８を前ケース１ａの内面に設けたボス６６で支持し、さらに、各ばね受枠２５の後側のばね受部５５に設けた係合ピン５８を後ケース１ｂに設けたボス６７で支持して、ばね受枠２５および補強壁３２を移動不能に固定保持している。連結部３３と係合穴６５との間には、第１傾動軸２３に外嵌するスペーサー６８が配置され、第１傾動軸２３の側端は側部カバー１ｃで覆われている。
【００６５】
図１１および図１２は、ヘッド支持構造の別の実施例を示す。そこでは、前後の傾動枠４２と、本体ケース１の前後ケース１ａ・１ｂの内面に設けたばね受座７６との間に第１ばね２６を配置して、第１傾動軸２３の回りに傾動したヘッド枠２２およびかみそりヘッド２を中立位置へ復帰付勢できるようにした。また、傾動枠４２に設けられる浮動穴４４を上下方向の長溝で形成して、第２傾動軸２４が常に浮動穴４４と係合する状態で、かみそりヘッド２をヘッド枠２２に対して昇降変位できるようにした。この実施例におけるかみそりヘッド２は本体ケース１の中心軸線の延長上に直立する状態で設けてあり、したがって支持アーム３０は上下方向に真直ぐに形成してある。ばね受枠２５は省略した。他は先の実施例と同じであるので、同じ部材に同じ符号を付してその説明を省略する。以下の実施例においても同様に扱う。上記のように、本体ケース１と傾動枠４２との間に、圧縮コイル形の第１ばね２６を配置すると、第１ばね２６で傾動枠４２を押圧保持して、傾動枠４２が第２傾動軸２４から浮き離れるのを規制でき、したがって、第２傾動軸２４が傾動枠４２に設けた浮動穴４４から抜け出るのを確実に防止できる。
【００６６】
図１３は、ヘッド支持構造のさらに別の実施例を示す。そこでは、モーターホルダー１６の下面中央（かみそりヘッド２の下面中央）と内ケース１０との間に引っ張りコイル形の第１ばね２６を配置して、第１・第２の両傾動軸２３・２４の回りに傾動したかみそりヘッド２を第１ばね２６で中立位置へ復帰付勢できるようにした。また、図１０に示すヘッド枠２２と同様に、傾動枠４２に設けられる浮動穴４４を上下方向の長溝で形成し、ばね受枠２５は省略した。
【００６７】
上記の実施例では、メイン刃１８の内刃１８ａがロータリー式の内刃で構成してある場合について説明したが、メイン刃は往復動形の内刃を備えた切断刃であってもよい。モーター２０は縦置き配置する必要はなく横置き配置することができる。かみそりヘッド２の中心軸線Ｐ２は、本体ケース１の中心軸線Ｐ１に対して傾斜させる必要はない。
【００６８】
フレーム２１は、それぞれ独立部品からなる左右一対の支持アーム３０で構成することができ、その場合には橋絡部３４を省略して、支持アーム３０の下部に設けた装着部３１を、本体ケース１の内面壁や、内ケース１０に対して個別に締結固定することができる。フレーム２１とばね受枠２５とは、一体の部品で構成することができる。第１傾動軸２３と第２傾動軸は直交する関係で配置するのが好ましいが、概ね直交する関係であってもよい。上記の実施例では橋絡部３４が装着部３１の一部を兼ねるようにしたが、これら両者はそれぞれ個別に設けることができる。かみそりヘッド２は、前後、左右傾動は可能であるが上下浮動は不能に支持することができる。その場合には、傾動枠４２に形成する浮動穴４４を、第２傾動軸２４と同径の丸穴や角穴で形成して、かみそりヘッド２の昇降変位をヘッド枠２２で規制するとよい。
【００６９】
上記の実施例では、対向配置される左右一対の支持アーム３０でフレーム２１を構成したが、対向配置される前後一対の支持アーム３０でフレーム２１を構成することができる。その場合には、前後一対の第１傾動軸２３でヘッド枠２２を傾動可能に軸支し、左右一対の第２傾動軸２４でかみそりヘッド２を傾動可能に軸支する。モーター２０を本体ケース１の側に配置し、その伝動機構のみをかみそりヘッド２の側へ配置して、モーター２０の回転動力をフレキシブル伝動軸を介して連結して伝動機構へ伝動することにより、内刃１８ａなどを駆動することができる。
【図面の簡単な説明】
【００７０】
【図１】電気かみそりの縦断正面図である。
【図２】電気かみそりの正面図である。
【図３】電気かみそりの側面図である。
【図４】電気かみそりの主要部品を示す分解斜視図である。
【図５】ヘッド支持構造の正面図である。
【図６】図５におけるＡ−Ａ線断面図である。
【図７】図５におけるＢ−Ｂ線断面図である。
【図８】図７におけるＣ−Ｃ線断面図である。
【図９】図７におけるＤ−Ｄ線断面図である。
【図１０】図４におけるＥ−Ｅ線断面図である。
【図１１】ヘッド支持構造の別の実施例を示す正面図である。
【図１２】図１０のヘッド支持構造の一部破断側面図である。
【図１３】ヘッド支持構造のさらに別の実施例を示す正面図である。
【符号の説明】
【００７１】
１  本体ケース
２  かみそりヘッド
１０  内ケース
２１  フレーム
２２  ヘッド枠
２３  第１傾動軸
２４  第２傾動軸
２５  ばね受枠
２６  第１ばね
２７  第２ばね
３２  補強壁
３３  連結部
４０  ばね受ブロック
４１  軸受腕
【図１】
2008289665.tif 000003
【図２】
2008289665.tif 000004
【図３】
2008289665.tif 000005
【図４】
2008289665.tif 000006
【図５】
2008289665.tif 000007
【図６】
2008289665.tif 000008
【図７】
2008289665.tif 000009
【図８】
2008289665.tif 000010
【図９】
2008289665.tif 000011
【図１０】
2008289665.tif 000012
【図１１】
2008289665.tif 000013
【図１２】
2008289665.tif 000014
【図１３】
2008289665.tif 000015